(57)【要約】【課題】遠隔操作リモコンの特殊な操作を行うことにより、機器本体の接続の有無に関わらず擬似動作や表示を行なうこと。【解決手段】操作手段１５による操作を擬似動作開始操作手段１７により擬似動作用の特殊な操作であると判断すると、擬似動作指示手段１８が擬似動作モードを開始し、擬似動作表示手段１９の指示により、機器本体の接続の有無に関わらず擬似的な機器本体の動作を表示することができる。【選択図】  図１
2004183997.tif 000002
【特許請求の範囲】
【請求項１】
機器本体の動作を指示する操作手段と、前記操作手段の指示内容や前記機器本体の動作状態を表示する表示手段とを有する遠隔操作リモコンにおいて、前記操作手段の操作によって擬似動作を開始する擬似動作開始操作手段と、前記擬似動作開始操作手段からの指示によって擬似的な機器本体の動作を指示する擬似動作指示手段と、前記操作手段の操作内容や前記擬似動作指示手段の動作指示内容を表示する擬似動作表示手段とを備え、擬似動作開始以降は前記機器本体との接続の有無に関わらず、操作内容に応じた擬似的な機器本体の動作や状態を表示する遠隔操作リモコン。
【請求項２】
擬似動作指示手段は、機器本体と接続されている場合、前記機器本体が送る動作状態情報やエラー情報を正常に受信しても、この受信データをリモコン動作に使用しない受信情報制限手段を有してなる請求項１記載の遠隔操作リモコン。
【請求項３】
擬似動作指示手段は、擬似動作中は動作内容を機器本体へは送信せず、他の遠隔操作リモコンへのみ送信する送信情報制限手段を有してなる請求項１記載の遠隔操作リモコン。
【請求項４】
擬似動作開始操作手段は、所定の複数のスイッチを組み合わせて操作する開始操作手段と、前記開始操作手段の指示により擬似動作に必要な機種設定を行う機種切替え手段と、擬似動作の開始を決定する擬似動作確定手段とを有してなる請求項１記載の遠隔操作リモコン。
【請求項５】
擬似動作開始操作手段は、開始操作手段の操作可能期間を所定時間で制限する開始操作制限タイマ手段と、前記開始操作手段の開始指示の発生後、擬似動作確定手段によって確定できる期間を所定時間で制限する確定操作制限タイマ手段とを有してなる請求項４記載の遠隔操作リモコン。
【請求項６】
擬似動作指示手段は、擬似動作を所定時間継続したことを記憶する擬似動作記憶手段を有し、擬似動作開始操作手段は、次回電源投入時に前記擬似動作記憶手段の擬似動作の記憶ありを判断し、開始操作が無くても擬似動作の確定指示を出す記憶型開始手段を有してなる請求項１記載の遠隔操作リモコン。
【発明の詳細な説明】
【０００１】
【発明の属する技術分野】
本発明は、機器本体を遠隔操作する遠隔操作リモコンに関するものである。
【０００２】
【従来の技術】
従来、この種の遠隔操作リモコン（以下、リモコンという）は、給湯器本体より給湯器機能情報をリモコンへ送信し、リモコンが機能情報を判断し、機能情報に従った動作を行なうものである（例えば、特許文献１参照）。
【０００３】
また、この種のリモコンと給湯器本体が接続されている場合、リモコンの故障やリモコンと給湯器本体を接続するケーブルの断線等により、給湯器本体とリモコン間で通信エラーが発生し、給湯器本体が動作異常を判別して動作を停止するものである。通信エラーになった場合、給湯器本体はモコン接続なし仕様で動作するといった、リモコン接続あり仕様である通常の動作以外の特殊な動作を行なうものである（例えば、特許文献２参照）。
【０００４】
図６は、前記特許文献１の公報に記載された従来のリモコン給湯器であり、１は給湯器本体、２は給湯器本体１の給湯器制御手段、３は受信手段、４は送信手段、４は記憶素子である。また、６はリモコン、７はリモコン制御手段、８はリモコン受信手段、９はリモコン送信手段、１０は操作手段、１１は給湯器機能情報選択手段、１２はリモコン機能選択手段、１３は表示手段である。
【０００５】
【特許文献１】
特開平１０−１０８２７３号公報（第２−６項、第１図）
【特許文献２】
特開２００１−２８９５０２公報（第２−３項、第２図）
【０００６】
【発明が解決しようとする課題】
しかしながら、前記従来の構成では、リモコンを正常に動作させるためには機器本体を接続し機器本体の機能情報を取得する必要があり、例えばショールーム等の展示用やプレゼンテーション用として機器本体を接続しない状態でリモコンを正常に動作させることは不可能であるという課題を有していた。
【０００７】
また、機器本体とリモコンを接続しない場合、通信エラーによって機器本体によって動作を停止し特殊な動作に切替わるため、同様に例えばショールーム等の展示用やプレゼンテーション用として機器本体を接続しない状態では通信エラー状態となり、リモコンを正常に動作させることは不可能であるという課題を有していた。
【０００８】
本発明は、前記従来の課題を解決するもので、機器本体との接続の有無に関わらず、特殊な操作によってエラー表示することなく擬似的な機器本体の動作を行う擬似動作可能な遠隔操作リモコンを提供することを目的とする。
【０００９】
【課題を解決するための手段】
前記従来の課題を解決するために、本発明の擬似動作可能な遠隔操作リモコンは、機器本体に対する動作の指示を行う操作手段により特殊操作を行うと、特殊操作以降は機器本体との接続の有無に関わらず操作手段に応じて擬似的な機器本体の動作状態を表示するようにしたものである。
【００１０】
これによって、機器本体と遠隔操作リモコンを接続しない場合、通信エラー等が発生せず、擬似的に通常のリモコン動作や表示を行うことができる。また機器本体と遠隔操作リモコンを接続した場合、機器本体の動作に影響されずに、他のリモコン間で擬似的に通常のリモコン動作や表示を行うことができる。
【００１１】
【発明の実施の形態】
請求項１に記載の発明は、機器本体に対する動作の指示を行う操作手段と、操作の内容や機器本体の動作状態を表示する表示手段を有する遠隔操作リモコンにおいて、操作手段の操作によって擬似的な機器本体の動作指示を出す擬似動作指示手段と、前記操作手段により特殊操作によって擬似動作を始める擬似動作開始操作手段と、前記操作手段の操作内容や前記擬似動作指示手段の動作指示内容を表示する擬似動作表示手段とからなる擬似動作手段により、擬似動作開始以降は本体との接続の有無に関わらず、操作手段に応じて擬似的な機器本体の動作や状態表示を行うことができる。
【００１２】
請求項２に記載の発明は、特に、請求項１の擬似動作手段に受信情報制限手段を有し、機器本体と接続されている場合は、機器本体が送る動作状態情報やエラー情報を正常に受信するが、受信データをリモコン動作に使用しないことにより、機器本体の動作状態に影響されることが無くなり、操作に応じた擬似的な動作や表示をすることができる。
【００１３】
請求項３に記載の発明は、特に、請求項１の擬似動作手段に送信情報制限手段を有し、擬似動作中は動作内容を機器本体へは送信せず、他の隔操作リモコンへのみ送信することにより、機器本体と接続した場合、機器本体へ動作開始情報が伝わらないため、機器本体が動作を開始して何らかの原因で誤ってエラー停止することを防止できる。また、遠隔操作リモコンが複数個接続された場合、擬似的な動作状態を共有できリモコンの動作や表示の同期取ることができる。
【００１４】
請求項４に記載の発明は、特に、請求項１の擬似動作開始操作手段に所定の複数のスイッチを組み合わせて操作する開始操作手段と、前記開始操作手段の開始指示を受けて擬似動作に必要な機種設定を行う機種切替え手段と、擬似動作の開始を決定する擬似動作確定手段とを有し、擬似動作の開始操作を特殊操作とすることにより、通常のユーザー操作で誤って擬似動作を開始することを防止することができる。また、擬似動作開始時点で、擬似動作に必要な機種の設定を行うことができ、リモコンを多機種で共用化しているケースで、機器本体と接続しない場合、正しい機種設定で擬似動作をすることができる。
【００１５】
請求項５に記載の発明は、特に、請求項４の擬似動作開始操作手段に、開始操作手段の操作可能期間を所定時間で制限する開始操作制限タイマ手段と、前記開始操作手段の開始指示の発生後、擬似動作確定手段によって確定できる期間を所定時間で制限する確定操作制限タイマ手段とを有し、擬似動作の開始操作ができる期間と擬似動作の開始を確定する期間を限定することにより、通常のユーザー操作で誤って擬似動作を開始することを更に防止することができる。
【００１６】
請求項６に記載の発明は、特に、請求項１の擬似動作開始操作手段に擬似動作を所定時間継続したことを記憶する擬似動作記憶手段を有し、また擬似動作開始操作手段に次回電源投入時に前記擬似動作記憶手段の擬似動作記憶ありを判断する記憶型開始手段を有し、前回の電源投入期間中の動作が擬似動作であったときは、今回の電源投入時には擬似動作の開始操作が無くでも擬似動作を確定することにより、常時擬似動作が必要とされるショールーム等で使用される場合の擬似動作の開始操作を省くことができ、使い勝手を向上することができる。
【００１７】
【実施例】
以下本発明の実施例について、図面を参照しながら説明する。
【００１８】
（実施例１）
図１は、本発明の実施例１における擬似動作可能な遠隔操作リモコンのブロック図を示すものである。図１において、１４は遠隔操作リモコンで、スイッチ等の入力判定を行う操作手段１５と、擬似動作を行うための擬似動作手段１６と、通常モードの動作表示や擬似動作モード中の動作表示等を行う表示手段２０で構成される。また、１７は前記操作手段１５のスイッチ入力の判定結果を受け、擬似動作用の開始操作を判断し、開始指示を出す擬似動作開始操作手段である。１８は前記擬似動作開始操作手段１７の開始指示を受け、擬似動作モードを開始し擬似動作モードの専用表示指示を出し、かつ、以降前記操作手段１５によってスイッチ入力判定された結果を受け、次ブロックに出力する擬似動作指示手段である。１９は前記擬似動作指示手段１８の専用表示の指示や入力したスイッチに応じた所定の表示を表示手段２０に指示する擬似動作表示手段である。
【００１９】
以上のように構成された擬似動作可能な遠隔操作リモコンについて、以下その動作、作用を説明する。まず、擬似動作開始操作手段１７が、前記操作手段１５のスイッチ入力の判定結果を受け、擬似動作用の開始操作（図示しないが、所定の特殊な操作）であるかどうかを判断し、擬似動作用の開始操作と判断した場合は擬似動作開始指示を擬似動作指示手段１８へ出す。前記擬似動作指示手段１８は前記開始指示を受け、擬似動作モードを開始すると同時に、擬似動作モード専用の表示指示（例えば、所定のＬＥＤを点灯する指示）を擬似動作表示手段１９へ出す。
【００２０】
また、操作手段１５によって入力判定されたスイッチ情報（例えば、ふろ自動スイッチがオンされた）を受け、ふろ自動スイッチがオンになったことを同様に擬似動作表示手段１９へ伝える。擬似動作表示手段１９は前記擬似動作モードの専用表示指示を受け、所定のＬＥＤを点灯する指示を出す。
【００２１】
また、ふろ自動スイッチがオンになったことを受けて、ふろ自動運転の所定の動作表示を順次作成し、表示手段２０に出力する。ここで、擬似動作表示手段１９が出力するふろ自動運転の所定の動作表示とは、例えばふろ給湯器の場合、ふろ給湯器の実際の動作をイメージした下記が挙げられる。即ち、▲１▼通常の表示を５秒間、▲２▼お湯はりの表示を５秒間、▲３▼ふろ燃焼表示を５秒間、▲４▼沸上がり報知、▲５▼保温表示をスイッチオフまで保持する。これらの表示パターンや表示時間等はマイコンのプログラムによって固定的に設定することができるため、予め機種設定毎に動作表示を分別することが容易にできる。
【００２２】
以上のように、本実施例においては、擬似動作開始操作手段１７により擬似動作を行うことができ、擬似動作指示手段１８と擬似動作表示手段１９の指示により、機器本体の接続の有無に関わらず擬似的な機器本体の動作を表示することができる。
【００２３】
また、本実施例では擬似動作の一実施例としてふろ自動運転の一連の動作をマイコンプログラムによって固定的に実現する構成を説明したが、予め実行する動作（表示）のみをプログラムで固定化し、動作時間や動作順序は外部より設定する構成も考えられる。この場合、例えばＥＥＰＲＯＭのような不揮発性メモリーに動作時間や動作順序を設定し、ＥＥＰＲＯＭのデータを読み込むことで、設定された動作内容に従って擬似動作をすることにより、容易に擬似動作の動作内容を変更することができ、ショールーム等で展示する目的に応じて使い分けすることも可能である。
【００２４】
（実施例２）
図２は、本発明の実施例２における擬似動作可能な遠隔操作リモコンのブロック図を示すものである。なお、図１との相違点に関してのみ説明する。図２において、２３は擬似動作指示手段で、２４は擬似動作中のみ機器本体からの受信情報の使用に制限を設ける受信情報制限手段で、２５は擬似動作中のみ機器本体への送信情報に制限を設ける送信情報制限手段である。
【００２５】
以上のように構成された擬似動作可能な遠隔操作リモコンについて、以下その動作、作用を図１との相違点のみ説明する。まず、擬似動作開始手段１７によって擬似動作が始まると、擬似動作指示手段２３を経由して受信情報制限手段２４に受信の制限がかかる。この制限は、もしも機器本体が接続されている場合、機器本体からの動作状態データを正常に受信した場合でもリモコン側では受信データを使用しないという制限である。この受信情報加工手段２４の受信制限によって、接続されている機器本体の本当の動作状態が反映されなくなり、擬似動作モード中の擬似動作や表示を正常に継続することなる。
【００２６】
また、送信情報制限手段２５によりリモコン側の送信にも制限がかかる。この制限は、機器本体宛には送信せず自分宛或いは他リモコン宛に送信を行う制限である。この送信情報加工手段２５の送信制限によって、機器本体を接続している場合に擬似動作モード中は操作内容や動作内容が機器本体に伝わらず、機器本体は停止したままとなる。
【００２７】
一方、機器本体を接続していない場合は、機器本体への送信は元々不要であるため動作に支障をきたさない。また、操作内容や動作内容は自分宛或いは他リモコン宛に送信するため、複数個リモコンを接続した場合、他のリモコンが操作内容や動作内容を受信することになる。
【００２８】
以上のように、本実施例においては、受信情報制限手段２４によって機器本体からの受信を制限し、送信情報制限手段２５によって機器本体への送信を止め、自分宛或いは他のリモコン宛に送信を制限することにより、機器本体は停止したまま、他のリモコンとは動作内容が共有できることになり、機器本体が動作を開始して何らかのエラーによって停止し、エラー表示することもないし、リモコン間で操作内容や動作内容の同期取りができ正常な擬似動作を提供することができる。
【００２９】
また、本実施例の受信情報制限手段２４の制限を拡張し、動作状態だけでなく、エラー情報等を受信しても使用しないようにすれば、機器本体を接続している場合、機器は動作していないが何らかの原因でエラー表示するような場合でもリモコン側でエラー表示をすることを防止でき、擬似動作として良好な環境を提供することができる。
【００３０】
（実施例３）
図３は、本発明の実施例３における擬似動作可能な遠隔操作リモコンのブロック図を示すものである。なお、図１との相違点に関してのみ説明する。図３において、２８は擬似動作開始操作手段３１内の擬似動作の開始操作を判断する開始操作手段で、２９は前記開始操作手段２８の開始指示により開始する機種切替を行うための機種切替手段で、３０は前記機種切替手段２９による機種切替操作を終了後、或いは機種切替操作をしない場合、擬似動作の開始を確定するための確定操作手段である。
【００３１】
以上のように構成された擬似動作可能な遠隔操作リモコンについて、以下その動作、作用を図１との相違点のみ説明する。まず、操作手段１５によってスイッチ入力された結果を開始操作手段２８で判断し、擬似動作の開始操作であると判断する。擬似動作の開始操作を判断すると仮りの開始状態になり、機種切替手段２９により擬似動作モードの機種切替モードとなる。機種切替モードとは、リモコンを多機種で共用している場合、機器本体に合わせて動作する必要があり、その機種設定を行うモードである。機器本体が接続されている場合、機器本体より通信により機種情報を受け取り、その機種設定に従って動作するため、機種設定の操作は無効となる。機器本体が接続されていない場合、機器本体より機種情報を得られないため、本機種切替モードが有効となり、特殊な操作（図示せず）によって機種設定を行う。そして機種切替が終了して、確定操作手段３０によって特殊な操作（図示せず）によって擬似動作モードの開始を確定する。
【００３２】
以上のように、本実施例においては、開始操作手段２８で仮り開始状態として、機種切替手段２９により機器本体が接続されていない場合の機種設定を行って、擬似動作モードの開始を確定操作手段３０によって確定することにより、機器本体の接続の有無に関わらず使おうとする機種を正しく設定して擬似動作モードを開始することができる。
【００３３】
また、本実施例の機種切替手段によって機種切替した設定値を例えばＥＥＰＲＯＭなどの不揮発性メモリーに記憶すれば、電源を切り入りした場合でも擬似動作時の機種設定の記憶を保持するので、通常ショールーム等で擬似動作する場合ほとんどが同じ機種設定で使用するケースが考えられ、電源を入れる度に機種切替をする必要がなく操作性を向上することができる。
【００３４】
（実施例４）
図４は、本発明の実施例４における擬似動作可能な遠隔操作リモコンのタイムチャートを示すものである。図３の開始操作手段２８と機種切替手段２９と確定操作手段３０からなる擬似動作操作手段３１の操作の制限時間として図４の開始制限タイマＴ１を設けたものである。また、図３の開始操作手段２８の仮り開始状態開始から確定操作手段３０の確定までの制限時間として図４の確定制限タイマＴ２を設けたものである。
【００３５】
図４において、開始制限タイマＴ１は電源投入時点（Ａ点）より計測を始め、開始操作Ｓ１と確定操作Ｓ２の操作の制限時間としてタイマＴ１経過点（Ｂ点）までの制限を行う。また、確定制限タイマＴ２は開始操作Ｓ１が確定後（Ｃ点）より計測を始め、確定操作Ｓ２までの制限時間としてタイマＴ２経過点（Ｄ点）までの制限を行う。
【００３６】
以上のように構成された擬似動作可能な遠隔操作リモコンについて、以下その動作、作用を説明する。まず、開始制限タイマＴ１期間（Ａ点からＢ点）までに開始操作Ｓ１と確定操作Ｓ２が行われる場合、Ｅ点時点で擬似動作操作が確定し擬似動作モードが始まる。一方開始制限タイマＴ１期間（Ａ点からＢ点）まで開始操作Ｓ１と確定操作Ｓ２が確定しない場合、擬似動作操作が無かったものとし、以降通常モードの動作を行い、擬似動作操作を禁止する。
【００３７】
また、確定制限タイマＴ２期間（Ｃ点からＤ点）までに確定操作Ｓ２が行われる場合、Ｅ点時点で擬似動作操作が確定し擬似動作モードが始まる。一方確定制限タイマＴ２期間（Ｃ点からＤ点）までに確定操作Ｓ２が確定しない場合、擬似動作操作が途中で放棄されたものとし、以降通常モードの動作を行い、擬似動作操作を禁止する。
【００３８】
以上のように、本実施例においては、開始制限タイマＴ１を設けることで、開始制限タイマＴ１期間（Ａ点からＢ点）までに開始操作Ｓ１と確定操作Ｓ２が確定しない場合は擬似動作操作を無効とするので、擬似動作操作するが限定でき、通常のユーザー使用において誤って擬似動作を行うことを防止することができる。
【００３９】
また、確定制限タイマＴ２を設けることで確定制限タイマＴ２期間（Ｃ点からＤ点）までに確定操作Ｓ２が確定しない場合は同様に擬似動作操作を無効とするので、擬似動作操作するが限定でき、通常のユーザー使用において誤って擬似動作を行うことを更に防止することができる。
【００４０】
（実施例５）
図５は、本発明の実施例５における擬似動作可能な遠隔操作リモコンのタイムチャートを示すものである。図５において、記憶確定タイマＴ３は、擬似動作操作が確定した時点（Ｆ点）より計測を始め、擬似動作が所定時間継続したことを確定する時間（Ｇ点）までを計測するものである。以上のように構成された擬似動作可能な遠隔操作リモコンについて、以下その動作、作用を説明する。
【００４１】
まず、擬似動作操作が確定した時点（Ｆ点）より擬似動作モードの継続時間を計測する。そして所定時間擬似動作モードがけ継続すると記憶確定タイマＴ３が経過した時点（Ｇ点）にて擬似動作モードが所定時間使用されたことを認識し、その結果を例えばＥＥＰＲＯＭ等の不揮発性メモリー（図示ぜず）に記憶する。そして、Ｈ点で電源が一旦切られ、再度電源投入された時点（Ｉ点）で、不揮発性メモリー（図示ぜず）に記憶した前回の動作モードは擬似動作モードであった記憶を判断し、図３の開始操作手段２８の擬似動作操作が無い場合でも、即擬似動作モードを開始する。
【００４２】
以上のように、本実施例においては、記憶確定タイマＴ３を設け、所定時間擬似動作モードがけ継続する場合は、一旦電源が切られても、次回の電源投入時点で擬似動作モードを即開始することにより、電源投入する毎に擬似動作操作を行う必要がなくなり、ショールームで日々擬似動作モードを使用するケースでは電源投入するたけで擬似動作モードを行うことができ使い勝手を向上することができる。
【００４３】
【発明の効果】
以上のように、本発明によれば、所定の擬似動作操作を行って擬似動作モードを始めると機器本体との接続の有無に関わらずリモコン操作に応じた所定の擬似動作を行うことができ、ショールーム等でエラー表示すること無く、正常に擬似動作作や表示を行うことができる。
【図面の簡単な説明】
【図１】本発明の実施例１における擬似動作可能な遠隔操作リモコンのブロック図
【図２】本発明の実施例２における擬似動作可能な遠隔操作リモコンのブロック図
【図３】本発明の実施例３における擬似動作可能な遠隔操作リモコンのブロック図
【図４】本発明の実施例４における擬似動作可能な遠隔操作リモコンのタイムチャート
【図５】本発明の実施例５における擬似動作可能な遠隔操作リモコンのタイムチャート
【図６】従来の遠隔操作リモコンの構成図
【符号の説明】
１４、２１、２６  遠隔操作リモコン
１５  操作手段
１６、２２、２７  擬似動作操作手段
１７、３１  擬似動作開始操作手段
１８、２３  擬似動作指示手段
１９  擬似動作表示手段
２０  表示手段
２４  受信情報制限手段
２５  送信情報制限手段
２８  開始操作手段
２９  機種切替手段
３０  確定操作手段
【図１】
2004183997.tif 000003
【図２】
2004183997.tif 000004
【図３】
2004183997.tif 000005
【図４】
2004183997.tif 000006
【図５】
2004183997.tif 000007
【図６】
2004183997.tif 000008